(57)【要約】【課題】構成が簡易な樽を提供する。【解決手段】平面形状および断面形状が等脚台形で平板状の複数の樽板１１と、内周形状が正多角形で、複数の樽板を外側から支持する箍２１および２２と、外周形状が正多角形で、複数の樽板１１を含む側板１０を内側から支持する底板３１とを有する樽１を提供する。また、平面形状および断面形状が等脚台形で平板状の複数の樽板１１と、内周形状が正多角形で、複数の樽板を外側から支持する箍２１および２２と、外周形状が正多角形で、複数の樽板１１を内側から支持する底板３１とを有する樽組み立てキット５０を提供する。【選択図】図１
2016043950.tif 000002
【特許請求の範囲】
【請求項１】
平面形状および断面形状が等脚台形で平板状の樽板部を含む複数の側板と、
内周形状が正多角形で、前記複数の側板を外側から支持する箍と、
外周形状が正多角形で、前記複数の側板を内側から支持する底板とを有する樽。
【請求項２】
請求項１において、
前記複数の側板の前記樽板部と同形状の樽板部および前記樽板部から上方に伸びた取っ手部を含む取っ手板をさらに有する樽。
【請求項３】
請求項１または２において、前記正多角形は正ｎ角形であり、ｎは整数６ないし１６のいずれかである、樽。
【請求項４】
請求項１ないし３のいずれかにおいて、前記複数の側板は、木製の側板を含む、樽。
【請求項５】
請求項１ないし４のいずれかにおいて、前記複数の側板は、透明または半透明な側板を含む、樽。
【請求項６】
平面形状および断面形状が等脚台形で平板状の樽板部を含む複数の側板と、
内周形状が正多角形で、前記複数の側板を外側から支持する箍と、
外周形状が正多角形で、前記複数の側板を内側から支持する底板とを有する樽組み立てキット。
【発明の詳細な説明】
【技術分野】
【０００１】
本発明は、板を組み合わせた樽および組み立てキットに関するものである。
【背景技術】
【０００２】
特許文献１には、外観意匠が面白く、質感の点でプラスチック製のものより好まれる木製樽形小物容器を、簡単に安く製作し、さらには、形状が長期にわたって精度高く維持される木製樽形小物容器を提供することが記載されている。特許文献１の木製樽形小物容器は、複数枚の木片の両側縁を相互に筒状に継ぎ合わせるとともに、その外周面を外側に膨らんだ樽状外周面にする一方、内周面を直立筒面状に構成する形にて樽状筒体を構成し、その樽状筒体の一方端縁側には底部を構成する底板が組み付けられ、他方端縁側は開口部が形成され、その開口部側において当該筒状樽体の内周面に沿って環状に嵌まり合うように、開口部の開口形状を保持するための形状保持リングが設けられている。
【先行技術文献】
【特許文献】
【０００３】
【特許文献１】特開２００３−６３５３０号公報
【発明の概要】
【発明が解決しようとする課題】
【０００４】
木製の樽に適した構造であって、間伐材などから得られる木片を利用して組み立てやすく、さらに、小型で、多用途に利用できるが樽が要望されている。
【課題を解決するための手段】
【０００５】
本発明の一態様は、平面形状および断面形状が等脚台形で平板状の樽板部を含む複数の側板と、内周形状が正多角形で、複数の側板を外側から支持する箍と、外周形状が正多角形で、複数の側板を内側から支持する底板とを有する樽である。この樽は、外周および内周を正多角形とすることにより平板の樽板部を含む側板を用いて樽を構成できる。このため、湾曲させた板を用いたり、組み合わせた板を湾曲させる必要はなく、間伐材などから得られる木片を効率よく利用して小型で様々な用途に利用できる樽を提供できる。
【０００６】
この樽は、複数の側板の樽板部と同形状の樽板部および樽板部から上方に伸びた取っ手部を含む取っ手板を有していてもよい。正多角形は角の数が多くなれば円形に近づくが側板の１つ１つが小さくなり、製造コストが高くなり、組み立ても難しくなる。このため、正多角形は正ｎ角形であり、ｎは整数６ないし１６のいずれかであることが望ましい。複数の側板は、プラスチック製やセラミック製であってもよいが、木製であってもよく、湾曲させる必要がないので木取りが容易で間伐材から効率よく側板を製造しやすい。複数の側板は、プラスチック製の板を含んでいてもよく、透明または半透明な側板を木製の側板に混ぜることにより部分的に内部を透かして見える樽を提供することができる。
【０００７】
本発明の他の態様の１つは、樽組み立てキットであり、平面形状および断面形状が等脚台形で平板状の樽板部を含む複数の側板と、内周形状が正多角形で、複数の側板を外側から支持する箍と、外周形状が正多角形で、複数の側板を内側から支持する底板とを有する。
【図面の簡単な説明】
【０００８】
【図１】樽の外観を示す斜視図。
【図２】樽の正面図（背面図）。
【図３】樽の側面図。
【図４】樽を組み立て用のパーツに展開した斜視図。
【図５】樽を箍の上で平面に切った断面図。
【図６】図６（ａ）は樽をプランターとして利用した図、図６（ｂ）は樽を容器として利用した図。
【図７】樽の異なる構成を示す図。
【図８】樽のさらに異なる構成を示す図。
【発明を実施するための形態】
【０００９】
図１に、平板を組み合わせた多角形の樽１の一例の外観を斜視図により示している。図２に、樽１を一方から見た様子（正面および背面）を示し、図３に、樽１を図２と９０度異なる方向から見た様子（左右の側面）を示している。さらに、図４に、樽１を部品に展開した様子を示している。また、図５に、樽１の構成を上側の第１の箍２１の直上で切った断面により示している。
【００１０】
この樽１は、平板状の１２枚の側板１０と、内周２５の形状が正多角形（正十二角形）で、複数の側板１０を外側から支持する第１の箍（たが）２１と、第１の箍２１と相似形で内周２５の径が第１の箍２１より小さい第２の箍２２と、外周３６の形状が正多角形（正十二角形）で、複数の側板１０を内側から支持する底板３１とを有する。１２枚の側板１０は、樽１の内側５および外側６から見た平面形状が等脚台形で、断面７の形状も等脚台形の平板状の複数（１０枚）の樽板１１と、樽板１１と同形状の樽板部１２ａおよび樽板部１２ａから上方に伸びた取っ手部１２ｂを含む、２枚の取っ手板１２とを含む。樽板１１は、断面７、内面５および外面６が共に等脚台形で平板状の樽板部のみからなる樽板１１である。取っ手板１２の取っ手部１２ｂの上端には把持用の棒材１３を取り付ける孔１２ｃが設けられており、上方に凸に湾曲した、断面が四角形の棒材１３を取り付けられるようになっている。本例の樽１は、把持用の棒材１３を含めて組み立てられると、全体が取っ手が付いた持ちやすい樽、あるいは手桶のような外観および構造をなす。
【００１１】
側板１０は木製であり、例えば、唐松、杉、赤松、檜、さわら、栗、桜などの木材を使用できる。唐松は、耐久性および耐水性が良く、杉は、木目が真っ直ぐで耐熱性が高く、赤松は、耐水性が優れており、檜は、軽く、美しい木肌と、優れた芳香性を持つ。さわらは、香りがないので食品の容器に最適であり、栗は、硬くて重く、優れた耐水性を備えており、桜は、加工が容易で仕上がりが美しいなどの特性を含む。樽板１１の寸法の一例は、高さｈが約１１０ｍｍ、上部外側の幅ｗ１が約３４ｍｍ、等脚台形をなす上部内側の幅が約３１ｍｍ、下部外側の幅ｗ２が約２５ｍｍ、等脚台形をなす下部内側の幅が約２２ｍｍ、厚みｔが約７ｍｍである。これらの側板１０を箍２１および２２と底板３１を用いて組み合わせることにより、底板３１の内径（対向する辺間）ｄ１が約８５ｍｍ、上部開口の内径（対向する辺間）が約１１０ｍｍ、高さ約１００ｍｍの樽１を組み立てることができる。これらの寸法は一例であり、各材料の各寸法は大きくても小さくてもよい。
【００１２】
高さおよび上部の直径が数ｃｍ（例えば、３〜６ｃｍ）から数１０ｃｍ（例えば３０ｃｍ程度）の小型の樽１を構成する側板１０は、幅が数ｃｍ、高さ（長さ）が数ｃｍから数１０ｃｍであり、径が細い間伐材から木取りすることが容易である。また、木材として加工されなかった端材から加工することも可能である。したがって、低コストで提供することができるとともに、地元の間伐材や端材を用いた商品として提供することができる。
【００１３】
側板１０は、木材に限定されることはなく、プラスチック（樹脂）、セラミックなどを用いてもよい。樽１では、断面７が等脚台形の側板１０を、正多角形をなすように周囲に並べて側壁２を構成する。等脚台形の断面７を、内側に向かって細くテーパー状になった状態で複数の側板１０を組み合わせて、外側から箍２１および２２で支持することにより、側板１０の樽板の部分、すなわち、本例では樽板１１の側面８同士が密着し、強固な側壁２が構成される。側壁２を強固に、また、ガタつき等がない、あるいは少ないように組み立てるには、個々の側板１０（特に樽板１１）の精度（制作精度、寸法精度）が高いことが要求される。
【００１４】
したがって、側板１０は、レーザー加工などの高精度な加工が可能な方法で製造されることが望ましい。プラスチックやセラミックであれば、型（金型）を用いて製造することができる。木材の場合は、レーザー加工であってもよく、専用の治具を用いてもよい。また、木材の側板１０であれば、組み立てることにより多少のがたつきあるいは隙間であれば馴染ませることが可能なこともある。また、木材の側板１０であれば水を入れたり、水分を与えることにより膨張し、自律的に側板１０同士の隙間を埋めることができる。木工用ボンドなどの接着剤を用いて隙間を埋めることも可能である。
【００１５】
複数の側板１０の樽板１１および樽板部１２ａを外側から支持する第１の箍２１および第２の箍２２は、合板が用いられており、全体がリング状で、内側（内周）２５の形状が正十二角形、外側（外周）２６の形状が円形である。内側２５の形状としては、平板状の側板１０を複数の平板の状態で外側から加圧するために正多角形が選択されており、平板状の側板１０の平らな外面６に線あるいは面で接することにより平板状の側板１０に均等な圧力を加えられるようになっている。箍２１および２２の外周２６の形状は円形であってよく、多角形であってもよく、内側２５の形状と同じであってもなくてもよい。
【００１６】
箍２１および２２は、側板１０と同様に様々な種類の木材を用いて製造してもよい。一方、側板１０が木製の場合、水分を含むと側板１０が外側に膨張する。このため、箍２１および２２は、側板１０の膨張に対して十分な強度が得られる材質、形状および断面積を備えていることが望ましい。本例では、合板を用いることにより木質で強度が得られるようにしている。箍２１および２２は、鉄あるいは他の金属を用いてさらに強度が得られるようにしてもよく、木材と金属とを組み合わせて強度が得られるようにしてもよい。また、この樽１においては、上下に２つの箍２１および２２を配置しているが、上下に３つ以上の箍を配置してもよい。
【００１７】
箍２１および２２の上下の位置は、箍２１および２２の内径ｄ２（対向する辺と辺との間の寸法）が、正多角形に並べられた複数の側板１０（樽板１１および樽板部１２ａ）の外周の径と一致する箇所で自律的に決まる。すなわち、断面７の形状が等脚台形で平面５および６の形状も等脚台形の複数の側板１０が正多角形をなすように並べられることにより、下側に対して上側が広い（径が大きい）、多角形の角錐台状の側壁２が構成され、角錐台状の側壁２に内径ｄ２が一致する箇所に箍２１および２２は取り付けられる。複数の側板１０のいずれかが内側あるいは外側に対してがたつくことにより、または、動くことにより箍２１および２２と側板１０との間の圧力あるいは摩擦力にばらつきが生じ、箍２１および２２が上下に動くことがある。したがって、複数の側板１０の全て、または、いくつかの外面６の、箍２１および２２が取り付けられる予定の位置に、溝あるいは切れ込みを設けて、箍２１および２２が嵌ると外れにくいようにしてもよい。
【００１８】
複数の側板１０を内側から支持する底板３１は、合板が用いられており、全体が平板で外側（外周）３６の形状が正十二角形である。外側３６の形状としては、複数の平板状の側板１０を平板の状態で内側から支持（加圧）するために正多角形が選択されており、平板状の側板１０の平らな内面５に線あるいは面で接することにより複数の平板状の側板１０に均等な圧力を内側から加えられるようになっている。底板３１は、側板１０と同様に様々な種類の木材を用いて製造してもよい。この樽１においては、上体に、底板３１と相似形の蓋を設けることも可能である。また、樽１の内部に、リング状または平板状で外周の形状が多角形の仕切り板を入れることも可能である。
【００１９】
この樽１は、様々な用途に用いることができる。図６（ａ）は、取っ手なしの樽１、すなわち、側板１０がすべて平板状の樽板１１により構成された樽１を、プランターとして利用した例を示している。図６（ｂ）は、取っ手なしの樽１に、外周が多角形の上蓋３２を取り付けて容器として利用した例を示している。樽１は、キャンディーやアクセサリーなどを入れる小物入れとして利用することも可能であり、木製の小型の容器（マルチミニ樽）として、ユーザーが所望する様々な用途に用いることができる。
【００２０】
また、樽１は、側板１０の全部あるいは一部の形状あるいは材料を変えることも可能である。図７は、複数の側板１０に１つの取っ手板１２を含めることにより、片手桶のように利用できる持ちやすい樽１を構成した例である。図８は、把持用の木製の棒１３の代わりに、金属あるいはプラスチック製の湾曲した持ち手１４を取り付けた樽１を示している。また、側板１０は、平板状の樽板１１のように、等脚台形の断面７と、等脚台形の内面５と、等脚台形の外面６とを備えていればよい。したがって、側板１０の上端面は断面７と同様に等脚台形が見えるように平坦（平面）状に切断されていてもよく、他の形状、例えば、部分的に突き出ていたり、湾曲していたり、内側あるいは外側に斜めにカットされていたりしてもよい。さらに、この樽１においては、複数の側板１０の中に樹脂製の透明あるいは半透明で、同形の板１５を含めて、木製の板と交互に配置している。したがって、内部を透かしてみることができる樽１を提供できる。樽１の例はこれらに限定されず、断面７および平面５および６が等脚台形の樽板あるいは樽板部を備えた板であって、様々な材質、色などの特性を備えた板を組み合わせることができる。
【００２１】
また、樽１は、組み立てられた状態で提供することも可能であり、図４に示した部品の状態で、樽組み立てキット５０として提供することも可能である。樽組み立てキット５０であれば、袋あるいは箱に入れて流通させることが容易であり、ユーザーは、樽１を組み立てる楽しみを得ることができる。また、樽板１を組み立てる際に使用する側板１０の種類をユーザーが自由に選択することが可能となる。
【００２２】
以上に説明したように、この樽１は、外周および内周を正多角形とすることにより平板状の樽板（側板）１０を用いて樽を構成できる。このため、湾曲させた板を用いたり、組み合わせた板を湾曲させる必要はなく、間伐材などから得られる木片を、平板の状態で利用できる。特に、高さあるいは直径が数ｃｍから数１０ｃｍまたは数ｃｍから１０数ｃｍの小型の樽を、間伐材などを用いて組み立てる、あるいは製造するのに適した構成を提供できる。
【００２３】
上記では正十二角形の樽を例に説明しているが、樽は正六角形であってもよく、正十六角形であってもよく、正八角形、正十角形などであってもよい。すなわち、樽は正ｎ角形で整数ｎは６ないし１６の範囲であってもよい。整数ｎは１７以上、すなわち、樽は正十七角形以上であってもよいが、樽板部の幅が狭くなり、１つの樽を構成するために必要な側板の数が増加する。このため、製造効率が低下しやすい。また、正十角形あるいは正十二角形以上であれは周壁の形状は多角形であるが、容量、占有面積などの特性としては円形の樽にほぼ近いものを提供できる。
【符号の説明】
【００２４】
１  樽、  １０  側板、  １１  樽板、  ２１、２２  箍、  ３１  底板
【図１】
2016043950.tif 000003
【図２】
2016043950.tif 000004
【図３】
2016043950.tif 000005
【図４】
2016043950.tif 000006
【図５】
2016043950.tif 000007
【図６】
2016043950.tif 000008
【図７】
2016043950.tif 000009
【図８】
2016043950.tif 000010